(57)【要約】      （修正有）【課題】筐体内の奥部に配備されても、カードトレイまたはカードの装着および取出しが容易なカードコネクタの提供。【解決手段】カードコネクタＣ１は、スライダ４、コンタクト３、カム溝８０が形成されたカム部８、およびカムピン７を備える。カムピン７は、カム部８に対し相対移動しスライダ４の移動範囲を規制する。カム溝８０は、解放節と、突き当て節と、仮保持節と、端子接触節とを経由する順路を成している。解放節は、スライダ４の解放位置に対応する。突き当て節は、解放位置から押し込まれたスライダ４が突き当たる位置に対応する。仮保持節は、スライダ４が取出方向に戻る途中で保持される位置に対応する。端子接触節は、スライダ４が挿入方向に再度押し込まれ、カードＪの端子Ｐがコンタクト３と接触する位置に対応する。端子接触節は、解放節から突き当て節８１よりも離れた位置に配置される。【選択図】図１
2014059991.tif 000002
【特許請求の範囲】
【請求項１】
操作力により挿入されてきたカードまたは該カードが装着されたカードトレイに押されて挿入方向に移動するスライダと、
前記カードが有する端子と接触するコンタクトと、
カム溝が形成されたカム部と、
前記カム溝に先端が入り込んだカムピンであって、前記スライダの移動に応じて、前記カム部に対し相対移動するとともに該スライダの移動範囲を規制するカムピンとを備え、
前記カム溝が、
前記カードまたは前記カードトレイに押される前の前記スライダの解放位置に対応する解放節と、
操作力により前記解放位置から前記挿入方向に押し込まれた前記スライダが突き当たる突き当て位置に対応した突き当て節と、
前記操作力の解除に伴い前記スライダが前記突き当て位置から前記挿入方向とは反対の取出方向に戻る途中で保持される仮保持位置に対応した仮保持節と、
再度の操作力により前記スライダが前記仮保持位置から前記挿入方向に再度押し込まれ、前記カードの端子が前記コンタクトと接触する接触位置に対応した端子接触節と、を経由する順路を成して形成されたものであり、
前記端子接触節が、前記解放節から前記突き当て節よりも離れた位置に配置されているものであることを特徴とするカードコネクタ。
【請求項２】
前記カム溝がさらに、前記順路に沿って前記仮保持節と前記端子接触節との間に形成された、前記再度の操作力により前記仮保持位置よりも前記挿入方向に押し込まれた前記スライダが突き当たる第２の突き当て位置に対応した第２の突き当て節を有し、
該第２の突き当て位置に移動した後の前記操作力の解除に伴い前記取出方向へ戻る途中で前記スライダが前記接触位置に到達して該接触位置で保持され、当該カム溝がさらに、再度の操作力により前記接触位置よりも前記挿入方向に押し込まれた解放操作位置に対応した解放操作節を有し、前記カム溝が、前記端子接触節から前記解放操作節を経由して前記解放節に戻る順路を成して形成されたものであることを特徴とする請求項１記載のカードコネクタ。
【請求項３】
カードまたは該カードが装着されたカードトレイの挿入を受けるカードコネクタと、
前記カードコネクタが内部に配置され、前記カードまたは前記カードトレイが前記カードコネクタに向かって挿入される挿入孔を有し、前記カードコネクタが、内部の、該挿入孔との間に間隔を置いた奥に配置された筐体と、
前記挿入孔を閉鎖する蓋部材とを備え、
前記カードコネクタが、
操作力により挿入されてきた前記カードまたは前記カードトレイに押されて挿入方向に移動するスライダと、
前記カードが有する端子と接触するコンタクトと、
カム溝が形成されたカム部と、
前記カム溝に先端が入り込んだカムピンであって、前記スライダの移動に応じて、前記カム部に対し相対移動するとともに該スライダの移動範囲を規制するカムピンとを備え、
前記カム溝が、
前記カードまたは前記カードトレイに押される前の前記スライダの解放位置に対応する解放節と、
操作力により前記解放位置から前記挿入方向に押し込まれた前記スライダが突き当たる突き当て位置に対応した突き当て節と、
前記操作力の解除に伴い前記スライダが前記突き当て位置から前記挿入方向とは反対の取出方向に戻る途中で保持される仮保持位置に対応した仮保持節と、
再度の操作力により前記スライダが前記仮保持位置から前記挿入方向に再度押し込まれ、前記カードの端子が前記コンタクトと接触する接触位置に対応した端子接触節と、を経由する順路を成して形成されたものであり、
前記端子接触節が、前記解放節から前記突き当て節よりも離れた位置に配置されているものであることを特徴とするコネクタ取付構造。
【発明の詳細な説明】
【技術分野】
【０００１】
本発明は、カードコネクタおよびコネクタ取付構造に関する。
【背景技術】
【０００２】
ＩＣが内蔵されたカードを電子機器に装着するためのカードコネクタとして、プッシュ／プッシュ式のカードイジェクト機構を有するカードコネクタが知られている。
【０００３】
例えば、特許文献１には、携帯電子機器の筐体内に配置されたプッシュ／プッシュ式のカードコネクタが示されている。カードコネクタは、イジェクトバー、カム溝、およびピンを備えている。イジェクトバーは、筐体の開口部を介して筐体内部に挿入されたカードによって押し込まれ、ピンとカム溝との係合によりロックされる。この後、筐体の開口部にキャップ部が嵌め込まれ、開口部が閉塞状態となる。カードの取出しの際には、キャップ部を取外し、カードコネクタに保持されたカードを一旦奥に押し込む。このことによって、イジェクトバーのロックが解除され、イジェクトバーによってカードが押し出される。
【先行技術文献】
【特許文献】
【０００４】
【特許文献１】特開２０１０−５５３３９号公報
【発明の概要】
【発明が解決しようとする課題】
【０００５】
機器の小型化に伴い、カードコネクタが挿入孔（開口部）から離れた奥側に配置されると、カードをロックの位置まで押し込むことが困難になる。カードを押し込むことの困難性は、機器の薄型化に伴い、開口部が狭くなることによっても増大する。また、カードを押し込むことが困難である場合には、カードコネクタに保持されたカードをロック解除して取り出すことも困難である。
【０００６】
本発明は上記問題点を解決し、筐体内の奥部に配備されるにもかかわらず、カードトレイ（またはカード）の装着および取出しが容易なカードコネクタおよびコネクタ取付構造を提供することを目的とするものである。
【課題を解決するための手段】
【０００７】
上記目的を達成する本発明のカードコネクタは、
操作力により挿入されてきたカードまたはこのカードが装着されたカードトレイに押されて挿入方向に移動するスライダと、
上記カードが有する端子と接触するコンタクトと、
カム溝が形成されたカム部と、
上記カム溝に先端が入り込んだカムピンであって、上記スライダの移動に応じて、上記カム部に対し相対移動するとともにこのスライダの移動範囲を規制するカムピンとを備え、
上記カム溝が、
上記カードまたは上記カードトレイに押される前の上記スライダの解放位置に対応する解放節と、
操作力により上記解放位置から上記挿入方向に押し込まれた上記スライダが突き当たる突き当て位置に対応した突き当て節と、
上記操作力の解除に伴い上記スライダが上記突き当て位置から上記挿入方向とは反対の取出方向に戻る途中で保持される仮保持位置に対応した仮保持節と、
再度の操作力により上記スライダが上記仮保持位置から上記挿入方向に再度押し込まれ、上記カードの端子が上記コンタクトと接触する接触位置に対応した端子接触節と、を経由する順路を成して形成されたものであり、
上記端子接触節が、上記解放節から上記突き当て節よりも離れた位置に配置されているものであることを特徴とする。
【０００８】
本発明のカードコネクタは、カム溝とカムピンとによって、スライダおよびカードトレイ（またはカード）の移動範囲を規制している。カードコネクタにカードトレイ（またはカード）が挿入されると、カードトレイ（またはカード）に押されたスライダは突き当て位置で突き当たり、カードトレイ（またはカード）の操作力が解除されると、仮保持位置に戻る。したがって、カードトレイ（またはカード）はカードコネクタに仮保持される。カードトレイ（またはカード）が再度挿入（押圧）操作されると、スライダが、突き当て位置よりも挿入方向の先にある接触位置まで移動し、カードの端子がコンタクトと接触する。ここで、カードトレイ（またはカード）の操作力が解除されると、スライダが解放位置に戻り、カードトレイ（またはカード）がカードコネクタから排出される。
【０００９】
このカードコネクタが、例えば、挿入孔を有する機器筐体内に設けられている場合には、例えば、カードを挿入孔から突き当て位置まで挿入し仮保持位置で仮保持させる。この後、例えば開口を閉鎖する蓋部材によってカードトレイ（またはカード）を接触位置まで挿入し、端子とコンタクトとを接触させる。カードトレイ（またはカード）の取出しの場合には、カードトレイ（またはカード）を直接操作しなくとも、蓋部材を開口から取り外すだけでカードが戻る。
【００１０】
本発明のカードコネクタは、手指等が入らないような狭い挿入孔を有する機器筐体内の奥部に設けられた場合でも、まず手指等でカードトレイ（またはカード）を直接操作して仮保持まで行わせ、その後、蓋部材の閉鎖操作を利用して、カードトレイ（またはカード）を端子の接触位置まで挿入させることができる。また、蓋部材を開口から取り外すだけでカードトレイ（またはカード）がエジェクトされる。このように、本発明のカードコネクタによれば、カードトレイ（またはカード）の装着および取出しが容易である。
【００１１】
ここで、上記本発明のカードコネクタにおいて、上記カム溝がさらに、上記順路に沿って上記仮保持節と上記端子接触節との間に形成された、上記再度の操作力により上記仮保持位置よりも上記挿入方向に押し込まれた上記スライダが突き当たる第２の突き当て位置に対応した第２の突き当て節を有し、該第２の突き当て位置に移動した後の上記操作力の解除に伴い上記取出方向へ戻る途中で上記スライダが上記接触位置に到達してこの接触位置で保持され、当該カム溝がさらに、再度の操作力により上記接触位置よりも上記挿入方向に押し込まれた解放操作位置に対応した解放操作節を有し、上記カム溝が、上記端子接触節から上記解放操作節を経由して上記解放節に戻る順路を成して形成されたものであることが好ましい。
【００１２】
このカードコネクタでは、スライダが、仮保持位置よりも奥の第２の突き当て位置まで押し込まれ、この後、操作力の解除に伴い接触位置に到達する。そして、スライダは、再度の操作力を受けて解放操作位置に押し込まれた後、操作力の解除によって解放位置に戻る。この好ましい構成の場合、カードトレイ（またはカード）を押し続ける蓋部材がない場合でも、棒状の治具を用いてカードトレイ（またはカード）を押し込むことにより、カードトレイ（またはカード）を端子の接触位置に保持することができる。
【００１３】
また、上記目的を達成する本発明のコネクタ取付構造は、
カードまたはこのカードが装着されたカードトレイの挿入を受けるカードコネクタと、
上記カードコネクタが内部に配置され、上記カードまたは上記カードトレイが上記カードコネクタに向かって挿入される挿入孔を有し、前記カードコネクタが、内部の、この挿入孔との間に、間隔を置いた奥に配置された筐体と、
上記挿入孔を閉鎖する蓋部材とを備え、
上記カードコネクタが、
操作力により挿入されてきた上記カードまたは上記カードトレイに押されて挿入方向に移動するスライダと、
上記カードが有する端子と接触するコンタクトと、
カム溝が形成されたカム部と、
上記カム溝に先端が入り込んだカムピンであって、上記スライダの移動に応じて、上記カム部に対し相対移動するとともにこのスライダの移動範囲を規制するカムピンとを備え、
上記カム溝が、
上記カードまたは上記カードトレイに押される前の上記スライダの解放位置に対応する解放節と、
操作力により上記解放位置から上記挿入方向に押し込まれた上記スライダが突き当たる突き当て位置に対応した突き当て節と、
上記操作力の解除に伴い上記スライダが上記突き当て位置から上記挿入方向とは反対の取出方向に戻る途中で保持される仮保持位置に対応した仮保持節と、
上記蓋部材に押された上記スライダが上記仮保持位置から上記挿入方向に再度押し込まれ、この蓋部材が上記挿入孔を閉鎖するとともに上記カードの端子が上記コンタクトと接触する接触位置に対応した端子接触節と、を経由する順路を成して形成されたものであり、
上記端子接触節が、上記解放節から上記突き当て節よりも離れた位置に配置されているものであることを特徴とする。
【００１４】
本発明のコネクタ取付構造では、手指等でカードトレイ（またはカード）を直接操作して仮保持まで行わせ、その後、蓋部材の閉鎖操作を利用して、カードトレイ（またはカード）を端子の接触位置まで挿入させることができる。また、蓋部材を開口から取り外すだけでカードがエジェクトされる。
【発明の効果】
【００１５】
以上説明したように、本発明によれば、筐体内の奥部に配備されるにもかかわらず、カードトレイ（またはカード）の装着および取出しが容易なカードコネクタおよびコネクタ取付構造が実現する。
【図面の簡単な説明】
【００１６】
【図１】本発明の第１実施形態であるカードコネクタの平面図である。
【図２】図１に示すカム部の拡大図である。
【図３】図１に示すカードコネクタに、カードトレイが挿入された状態を示す図である。
【図４】図３に示すカム部の拡大図である。
【図５】スライダが仮保持位置に移動した状態を示す図である。
【図６】図５に示すカム部の拡大図である。
【図７】スライダが端子接触位置に移動した状態を示す図である。
【図８】図７に示すカム部の拡大図である。
【図９】本発明の第２実施形態であるカードコネクタの平面図である。
【図１０】図９に示すカム部９の拡大図である。
【図１１】スライダが仮保持位置に移動した状態でのカム部の拡大図である。
【図１２】スライダが端子接触位置に移動した状態を示す図である。
【図１３】図１２に示すカム部の拡大図である。
【発明を実施するための形態】
【００１７】
以下図面を参照して本発明の実施の形態を説明する。
【００１８】
図１は、本発明の第１実施形態であるカードコネクタの平面図である。図１には、カードコネクタＣ１と、カードＪが装着されたカードトレイＴとが示されている。カードＪは、ＩＣが内蔵されたＩＣカードであり、例えばマイクロＳＩＭカードである。カードＪは、概略矩形の板状であり、８つの端子Ｐ（Ｐ１〜Ｐ８）が設けられている。カードトレイＴは、カードＪをカードコネクタＣ１に装着させるためのアダプタとして機能する。カードトレイＴは、カードＪが装着された状態でカードＪごと、カードコネクタＣ１の内部に挿入される。カードコネクタＣ１およびカードＪがカードコネクタＣ１に挿入される方向を挿入方向Ｓと称する。カードＪの端子Ｐ１〜Ｐ８は、図１に示す姿勢において下面すなわち、図１に現れる面の反対面に配置されている。なお、本実施形態では、８つの端子Ｐ１〜Ｐ８のうち、６つの端子Ｐ２〜Ｐ４，Ｐ６〜Ｐ８が接続されることとなる。
【００１９】
カードコネクタＣ１は、ハウジング１、シェル２、６つのコンタクト３、スライダ４、コイルばね等の付勢部材６、カムピン７、および、カム部８を備えている。なお、図１では、シェル２が取り外された状態が実線で示され、シェル２は外形のみが破線で示されている。
【００２０】
ハウジング１は、絶縁性の樹脂材料からなる成型品である。シェル２は、金属板を打抜き加工および折曲げ加工することで形成されている。ハウジング１およびシェル２の双方は、略矩形状の外形を有している。シェル２は、ハウジング１の上を覆うようにハウジング１に取り付けられている。ハウジング１とシェル２の間には、板状のカードＪを受け入れる受入空間１１が形成されている。受入空間１１は、挿入口１１ａで外部に開口した空洞である。カードＪは、挿入口１１ａから受入空間１１に、挿入方向Ｓに挿入される。
【００２１】
コンタクト３は、カードＪの端子Ｐ２〜Ｐ４，Ｐ６〜Ｐ８と電気的に接続するための部材である。コンタクト３は、金属板を打抜き加工および折曲げ加工することで形成されている。コンタクト３は、ハウジング１にインサート成形等によって固定されている。ハウジング１には、コンタクト穴１１ｈが設けられている。コンタクト３の一端は、コンタクト穴１１ｈの位置で受入空間１１内に入り込んでいる。コンタクト３の他端は、カードコネクタＣ１が取り付けられる図示しない回路基板の導体パターンに半田接続される。
【００２２】
スライダ４、コイルばね６、カムピン７、および、カム部８は、ハウジング１とシェル２との間に形成された受入空間１１に配置されている。スライダ４、コイルばね６、および、カムピン７は、いわゆるプッシュ／プッシュ式のイジェクト機構を構成する。
【００２３】
スライダ４は、樹脂材料からなる成型品である。スライダ４は、ハウジング１に、挿入方向Ｓへスライド自在に支持されている。スライダ４は、鉤状に曲って、カードトレイＴの挿入経路内に突出した押当て部４１を有している。押当て部４１は、カードトレイＴが挿入される姿勢でカードトレイＴの前端縁Ｅに対面した位置に配置されており、カードトレイＴの前端縁Ｅに押し当てられる部分となる。スライダ４の押当て部４１がカードトレイＴに押されることによって、スライダ４が受入空間１１内を挿入方向Ｓへ移動する。また、この逆に、スライダ４は、挿入方向Ｓとは逆向きに移動することによって、押当て部４１でカードトレイＴを押す。
【００２４】
付勢部材６は、スライダ４とハウジング１との間に配置された圧縮コイルばねである。付勢部材６は、スライダ４を、挿入方向Ｓとは反対の取出方向Ｒに付勢している。
【００２５】
カム部８は、ハウジング１の一部として、ハウジング１と一体に成形された部分である。カム部８には、カム溝８０が形成されている。カム溝８０については後述する。
【００２６】
カムピン７は、金属製の棒状の部材である。カムピン７は、両端部分が互いに同じ向きに折れ曲がっており、横長のＵ字状の形状を有している。カムピン７の一端部は、スライダ４に保持されている。したがって、カムピン７は、スライダ４の移動に追従して、カム部８に対し移動する。カムピン７の、スライダ４に保持された端部と反対側の端部は、カム部８のカム溝８０に入っている。カムピン７の、カム溝８０に入った端部は、スライダ４の移動に応じて、カム溝８０に沿って移動する。カムピン７は、カム溝８０の形状に応じて、スライダ４の移動範囲を規制する。
【００２７】
図２は、図１に示すカム部８の拡大図である。
【００２８】
図２に示すカム部８に形成されたカム溝８０は、一部が変形したハートカム型溝である。カム溝８０は、解放節８１、突き当て節８２、仮保持節８３、および端子接触節８４を経由する順路を成している。
【００２９】
解放節８１は、カム溝８０の中で挿入方向Ｓの最も手前側に設けられている。解放節８１は、図１に示すような、スライダ４の、カードトレイＴに押される前の解放位置、すなわち、挿入方向Ｓにおける最も手前側の位置に対応している。
【００３０】
突き当て節８２は、解放節８１よりも挿入方向Ｓ奥側に設けられている。突き当て節８２は、カードトレイＴが解放位置から挿入方向Ｓに押し込まれたスライダ４が突き当たる突き当て位置に対応する。
【００３１】
仮保持節８３は、突き当て節８２よりも挿入方向Ｓ手前側で、かつ、解放節８１よりも挿入方向Ｓ奥側に設けられている。仮保持節８３は、スライダ４（図１参照）が突き当て位置から取出方向Ｒに戻る途中で保持される仮保持位置に対応する。
【００３２】
端子接触節８４は、仮保持節８３よりも挿入方向Ｓ奥側に設けられている。端子接触節８４は、突き当て節８２よりも、解放節８１から遠く離れた位置に配置されている。つまり、突き当て節８２よりも挿入方向Ｓ奥側に設けられている。端子接触節８４は、カム溝８０の中で挿入方向Ｓの最も奥側に設けられている。
【００３３】
カムピン７（図１参照）は、カム溝８０の底に設けられた段差に案内され、カム溝８０内を、解放節８１、突き当て節８２、仮保持節８３、および端子接触節８４の順に移動する。この逆順への移動は、段差により阻止されている。カムピン７（図１参照）は、カム溝８０を移動し、各節において、スライダ４の移動を規制する。
【００３４】
図３は、図１に示すカードコネクタに、カードトレイが挿入された状態を示す図である。
【００３５】
図３に示すカードコネクタＣ１は、例えば携帯情報機器に代表される電子機器の筐体Ｂに内蔵されている。より詳細には、カードコネクタＣ１は、筐体Ｂ内に設けられた図示しない回路基板に半田接続によって取り付けられている。筐体Ｂは、カードトレイＴを挿入するための挿入孔Ｂｈを有する。カードコネクタＣ１は、筐体Ｂの外壁Ｂａよりも筐体Ｂの内奥部に配置されている。
【００３６】
カードＪが装着されたカードトレイＴは、筐体Ｂの挿入孔Ｂｈを通ってカードコネクタＣ１内に挿入されている。図３に示す状態では、カードトレイＴは、スライダ４に接しているが、スライダ４を押す前の状態である。すなわち、カードコネクタＣ１のスライダ４は、解放位置にあり、カムピン７の端部（以降は、単にカムピン７と称する。）は、カム溝８０の解放節８１にある。このとき、カードトレイＴの手前側の縁Ｔａは、筐体Ｂの外壁Ｂａよりも取出方向Ｒに突出している。
【００３７】
図３に示す状態から、カードトレイＴが、手指等の押込み操作による操作力を受けて挿入方向Ｓに押し込まれると、カードトレイＴは、スライダ４を挿入方向Ｓに押しながら、挿入方向Ｓに移動する。このとき、カードトレイＴの移動に従って、カムピン７も挿入方向Ｓに移動する。
【００３８】
図４は、図３に示すカム部８の拡大図である。
【００３９】
カードトレイＴが挿入方向Ｓに押し込まれると、カムピン７は、解放節８１からカム溝８０に沿って挿入方向Ｓに移動し、突き当て節８２に突き当たる。カムピン７の突き当て節８２での位置は、カードトレイＴによって図３に示す解放位置から挿入方向Ｓに押し込まれたスライダ４が突き当たる突き当て位置に対応する。
【００４０】
図５は、スライダが仮保持位置に移動した状態を示す図である。
【００４１】
スライダ４が上述した突き当て位置にある場合に操作力が解除されると、付勢部材６の付勢力によって、スライダ４がカードトレイＴを取出方向Ｒに押し戻す。このとき、カムピン７は、突き当て節８２からカム溝８０に沿って取出方向Ｒに移動し、図５に示すように、仮保持節８３に突き当たる。したがって、スライダ４およびカードトレイＴが取出方向Ｒに戻る途中で、図５に示す仮保持位置に保持される。
【００４２】
本実施形態のカードコネクタＣ１は、筐体Ｂの内奥部に配置されているので、図５に示す仮保持位置、および先に説明した突き当て位置では、カードコネクタＣ１のコンタクト３は、カードＪの端子Ｐ２〜Ｐ４，Ｐ６〜Ｐ８とは接触していない。図５に示す仮保持位置は、カードトレイＴがカードコネクタＣ１から脱落しにくい程度に保持された位置である。図５に示す仮保持位置において、カードコネクタＣ１の手前側の縁Ｔａは、筐体Ｂの外壁Ｂａとほぼ同一平面上に配置されている。
【００４３】
図６は、図５に示すカム部８の拡大図である。
【００４４】
カードトレイＴが挿入方向Ｓに押し込まれると、カムピン７は、仮保持節８３からカム溝８０に沿って挿入方向Ｓに移動し、端子接触節８４に移動することとなる。
【００４５】
図７は、スライダが端子接触位置に移動した状態を示す図である。
【００４６】
スライダ４が、図５に示す仮保持位置にある場合に再び操作力が掛かると、カードトレイＴが操作力によってスライダ４を挿入方向Ｓに移動させる。このとき、カムピン７は、仮保持節８３からカム溝８０に沿って挿入方向Ｓに移動し、図７に示すように、端子接触節８４に移動する。スライダ４は図７に示す端子接触位置まで移動し、コンタクト３は端子Ｐ２〜Ｐ４，Ｐ６〜Ｐ８と接触する。図７に示す状態は、カードＪがカードコネクタＣ１に対し装着完了した状態である。
【００４７】
カードトレイＴは、より詳細には、筐体Ｂの挿入孔Ｂｈを閉鎖する蓋部材Ｌによって、挿入方向Ｓに押し込まれる。蓋部材Ｌは、例えば樹脂材料からなる成型品であり、挿入孔Ｂｈの間口とぼぼ等しい幅を有する。より詳細には、蓋部材Ｌは防水キャップであり、挿入孔Ｂｈに圧入されて挿入孔Ｂｈを水密に閉鎖する。蓋部材Ｌは、外部から引き抜き力が掛からない限り挿入孔Ｂｈから外れないように、筐体Ｂに保持される。また、蓋部材Ｌは、カム溝８０の挿入方向Ｓにおける仮保持節８３から端子接触節８４までの距離に等しい厚み（挿入方向Ｓの寸法）を有する。したがって、蓋部材Ｌが挿入孔Ｂｈの閉鎖を完了した状態で、蓋部材Ｌは、筐体Ｂの外壁Ｂａとほぼ同一平面上に位置し、カムピン７は、仮保持節８３から端子接触節８４に移動する。このとき、スライダ４は図７に示す端子接触位置まで移動し、コンタクト３は端子Ｐ２〜Ｐ４，Ｐ６〜Ｐ８と接触する。ここで、カードコネクタＣ１、筐体Ｂ、および蓋部材Ｌの組合せが、本発明のコネクタ取付構造の一実施形態に相当する。
【００４８】
カードトレイＴは、筐体Ｂに保持された蓋部材Ｌによって、スライダ４を図７に示す端子接触位置に押し込んだ状態に保持されている。
【００４９】
カードトレイＴをカードコネクタＣ１（すなわち筐体Ｂ）から取り外す場合には、蓋部材Ｌを筐体Ｂの挿入孔Ｂｈから引き抜く。スライダ４が図７に示す端子接触位置にある場合に操作力が解除されると、付勢部材６の付勢力によって、スライダ４がカードトレイＴを取出方向Ｒに押し戻す。このとき、カードトレイＴを直接手指等で操作する必要はない。
【００５０】
図８は、図７に示すカム部８の拡大図である。
【００５１】
カードトレイＴが取出方向Ｒに押し戻されると、カムピン７は、端子接触節８４からカム溝８０に沿って取出方向Ｒに移動し、解放節８１に移動する。スライダ４およびカードトレイＴは、図３に示した解放位置に移動する。この結果、図３に示すように、カードトレイＴの手前側の縁Ｔａは、筐体Ｂの外壁Ｂａよりも取出方向Ｒに突出する。したがって、カードトレイＴは、手指等でつまんで取り出すことができる。
【００５２】
本実施形態のカードコネクタＣ１は、手指等が入らないような狭い挿入孔Ｂｈを有する筐体Ｂ内の奥部に設けられた場合でも、手指等でカードトレイＴを直接操作して仮保持まで行わせ、その後、蓋部材Ｌの閉鎖操作を利用して、カードトレイＴを端子の接触位置（図７）まで挿入させることができる。また、蓋部材Ｌを挿入孔Ｂｈから取り外すだけでカードトレイＴが排出（エジェクト）される。したがって、本実施形態のカードコネクタＣ１によれば、カードトレイの装着および取出しが容易である。
【００５３】
［第２実施形態］
次に、本発明の第２実施形態について説明する。以下の第２実施形態の説明にあたっては、これまで説明してきた第１実施形態における各要素と同一の要素には同一の符号を付けるか符号を省略し、前述の実施形態との相違点について説明する。
【００５４】
図９は、本発明の第２実施形態であるカードコネクタの平面図である。
【００５５】
図９に示すカードコネクタＣ２は、図１に示す第１実施形態のカードコネクタＣ１とは、カム部９に設けられたカム溝９０の形状が異なる。
【００５６】
図１０は、図９に示すカム部９の拡大図である。
【００５７】
図１０に示すカム部９に形成されたカム溝９０は、２つのハートカム型溝が繋がった構造を有している。カム溝９０は、第１実施形態におけるカム溝８０（図２参照）と同様の解放節８１、突き当て節８２、および仮保持節８３に加え、第２の突き当て節９５、および解放操作節９７を有する。また、端子接触節９６の位置が、第１実施形態におけるカム溝８０（図２参照）と異なる。第２の突き当て節９５、端子接触節９６、および解放操作節９７によって、第２のハートカム型溝が形成されている。カム溝９０は、第２の突き当て節９５から端子接触節９６、そして端子接触節９６から解放操作節９７を経由して解放節８１に戻る順路を成して形成されている。
【００５８】
第２の突き当て節９５および解放操作節９７の双方は、カム溝９０の中で挿入方向Ｓの最も奥側に設けられている。本実施形態において、挿入方向Ｓにおける、仮保持節８３から第２の突き当て節９５（解放操作節９７）までの距離は、第１実施形態のカードコネクタＣ１（図７参照）における、仮保持節８３から端子接触節８４までの距離よりも長い。本実施形態では、仮保持節８３から第２の突き当て節９５までの距離は、蓋部材Ｌ（図７参照）の厚み（挿入方向Ｓの寸法）よりも長い。
【００５９】
第２の突き当て節９５は、仮保持位置（図６参照）よりも挿入方向Ｓに押し込まれたスライダ４（図９参照）が突き当たる第２の突き当て位置に対応する。
【００６０】
端子接触節９６は、上記第２の突き当て位置に移動した後の操作力の解除に伴い取出方向Ｒへ戻る途中でスライダ４（図９参照）が到達した接触位置に対応する。
【００６１】
解放操作節９７は、上記接触位置に到達したスライダ４（図９参照）が、再度の操作力を受けて上記接触位置よりも挿入方向Ｓに押し込まれた解放操作位置に対応する。
【００６２】
図１１は、スライダが仮保持位置に移動した状態でのカム部９の拡大図である。
【００６３】
図１１に示すカムピン７の位置は、第１実施形態のカードコネクタＣ１において図６に示すカムピン７の位置と同様である。すなわち、図１１に示すカムピン７は、仮保持節８３に突き当たった状態である。また、この状態におけるスライダ４（図９参照）の位置は、第１実施形態のカードコネクタＣ１において図５に示すスライダ４の位置と同様である。すなわち、図１１に示すカムピン７がある仮保持節８３に対応するスライダ４（図９参照）の位置は仮保持位置である。
【００６４】
本実施形態におけるカムピン７が図１１に示す仮保持節８３に至るまでに、カムピン７およびスライダ４（図９参照）が経る過程は、図３〜図６を参照して説明した第１実施形態における過程と同様である。そこで、第２実施形態では、第１実施形態と重複する説明を省略し、図１１に示す仮保持節８３に至った後の過程を説明する。
【００６５】
図１１に示すように、カムピン７が仮保持節８３にある状態で、カードトレイＴ（図１参照）が挿入方向Ｓに押し込まれると、カムピン７は、仮保持節８３からカム溝９０に沿って挿入方向Ｓに移動し、第２の突き当て節９５に移動することが可能である。
【００６６】
ただし、先に説明したように、挿入方向Ｓにおける、仮保持節８３から第２の突き当て節９５までの距離は、蓋部材Ｌ（図７参照）の厚みよりも長く、蓋部材ＬがカードトレイＴ（図７参照）を押し得る距離よりも長い。したがって、図７に示すように、挿入孔Ｂｈを閉鎖する蓋部材Ｌによって、カードトレイＴが押された場合には、カムピン７は、第２の突き当て節９５に到達しない。この場合、蓋部材Ｌ（図７参照）が取り外され、蓋部材ＬからのカードトレイＴへの力が解除されると、カムピン７は解放節８１に戻り、カードトレイＴは排出される。この動作は、上述した第１実施形態と同様である。
【００６７】
カムピン７が第２の突き当て節９５に到達するのは、例えば、棒状の治具Ｑ（図１２参照）を用いて、カードトレイＴを、蓋部材Ｌ（図７参照）による距離よりも長く押し込む場合である。図１２に示すような棒状の治具Ｑを用いるのは、例えば蓋部材Ｌ（図７参照）を紛失したような事態である。
【００６８】
図１２は、スライダが端子接触位置に移動した状態を示す図である。
【００６９】
スライダ４が上述した第２の突き当て位置にある場合に、治具Ｑが挿入孔Ｂｈから抜き取られて操作力が解除されると、スライダ４が付勢部材６の付勢力によって、カードトレイＴを取出方向Ｒに押し戻す。このとき、カムピン７は、第２の突き当て節９５からカム溝９０に沿って取出方向Ｒに移動し、図１２に示すように、端子接触節９６に突き当たる。したがって、スライダ４およびカードトレイＴが取出方向Ｒに戻る途中で、図１２に示す端子接触位置に保持される。図１２に示す端子接触位置では、コンタクト３は端子Ｐ２〜Ｐ４，Ｐ６〜Ｐ８と接触する。図１２に示す状態は、カードＪがカードコネクタＣ２に対し装着完了した状態である。なお、本実施形態では、カムピン７が、第２の突き当て節９５または解放操作節９７（図１３参照）にある場合にも、コンタクト３が端子Ｐ２〜Ｐ４，Ｐ６〜Ｐ８と接触する。
【００７０】
図１３は、図１２に示すカム部９の拡大図である。
【００７１】
図１３に示すように、カムピン７が端子接触節９６に突き当たった状態で、図１２に示す治具Ｑが再び挿入孔Ｂｈから差し込まれてカードトレイＴを押すと、スライダ４が挿入方向Ｓに移動する。これに伴い、カムピン７は、端子接触節９６からカム溝９０に沿って挿入方向Ｓに移動し、解放操作節９７に突き当たることとなる。
【００７２】
解放操作節９７に突き当たった状態で、治具Ｑ（図１２参照）が挿入孔Ｂｈ（図１２参照）から抜き取られて操作力が解除されると、スライダ４（図１２参照）がカードトレイＴ（図１２参照）を取出方向Ｒに押し戻すのに伴い、カムピン７は、解放操作節９７からカム溝９０に沿って取出方向Ｒに移動し、解放節８１に移動する。スライダ４は、図９に示した解放位置に移動する。つまり、カードトレイＴ（図１参照）がカードコネクタＣ２から排出される。
【００７３】
本実施形態のカードコネクタＣ２によれば、蓋部材Ｌ（図７参照）を用いれば、第１実施形態のカードコネクタと同様に、カードトレイの装着および取出しが容易である。さらに、蓋部材Ｌを紛失した場合でも、治具Ｑ（図１２参照）を用いてカードトレイＴを押し込むことにより、カードトレイＴを、図１２に示すような端子Ｐ２〜Ｐ４，Ｐ６〜Ｐ８の接触位置に保持することができる。
【００７４】
なお、上述した実施形態には、本発明にいうカードコネクタの例として、カードＪが装着されたカードトレイＴが挿入されるカードコネクタＣ１，Ｃ２が示されている。ただし、本発明はこれに限られるものではなく、カードコネクタは、例えば、カードトレイなしでカードが直接挿入されるものであってもよい。ただし、カードトレイを用いる構成とすることにより、カードとカードコネクタとの直接接触が低減されるので、カードの種類により表面の粗さがばらついても、排出長さが均等化する。
【００７５】
また、上述した実施形態には、本発明にいうカム部およびカムピンの例として、ハウジング１に固定されたカム部８，９と、スライダ４の移動に従って移動するカムピン７が示されている。ただし、本発明はこれに限られるものではなく、例えば、カムピンがハウジング１に保持され、カム部がスライダ４の移動に従って移動する構成（例えば、カム部がスライダに一体的に設けられる構成）であってもよい。この場合、カム溝の各節の位置関係は、上述した実施形態とは逆になる。
【００７６】
また、上述した実施形態には、本発明にいう付勢部材の例として、スライダ４とハウジング１との間に配置された圧縮コイルばねが示されている。ただし、本発明はこれに限られるものではなく、付勢部材は、例えば、板ばねであってもよい。
【００７７】
また、上述した実施形態には、本発明にいう蓋部材の例として防水キャップが示されている。ただし、本発明はこれに限られるものではなく、蓋部材は防水キャップ以外のものであってもよい。
【符号の説明】
【００７８】
Ｃ１，Ｃ２    カードコネクタ
Ｔ    カードトレイ
Ｊ    カード
Ｐ１〜Ｐ８    端子
Ｌ    蓋部材
１    ハウジング
２    シェル
３    コンタクト
４    スライダ
６    付勢部材
７    カムピン
８，９    カム部
【図１】
2014059991.tif 000003
【図２】
2014059991.tif 000004
【図３】
2014059991.tif 000005
【図４】
2014059991.tif 000006
【図５】
2014059991.tif 000007
【図６】
2014059991.tif 000008
【図７】
2014059991.tif 000009
【図８】
2014059991.tif 000010
【図９】
2014059991.tif 000011
【図１０】
2014059991.tif 000012
【図１１】
2014059991.tif 000013
【図１２】
2014059991.tif 000014
【図１３】
2014059991.tif 000015